(57)【要約】【課題】ボルトとナットの締付けに伴う弧状締付部の不正な変形を防止する。【解決手段】弧状締付部１５をバッテリポストＰに外嵌させた状態で、ボルト２２とナット２５を締め付けて一対の板状突出部１６Ａ，１６Ｂを接近させると、弧状締付部１５が縮径変形させられてバッテリポストＰに固定される。ボルト２２は、その軸線をバッテリポストＰの軸線に対して斜めの仮想面Ｓｂ上に位置させる向きで配置されているが、一対の板状突出部１６Ａ，１６Ｂは、ガイド１８ａ，１８ｂにより、バッテリポストＰの軸線と直角な仮想面Ｓａと略平行に接近する。【選択図】図４
2010033783.tif 000002
【特許請求の範囲】
【請求項１】
バッテリポストを包囲する弧状締付部と、
前記弧状締付部の両端縁から外側に延出する一対の板状突出部と、
前記一対の板状突出部を貫通するボルトと、
前記ボルトに螺合されたナットとを備え、
前記弧状締付部を前記バッテリポストに外嵌させた状態で前記ボルトと前記ナットを締め付けて前記一対の板状突出部を接近させることにより、前記弧状締付部を縮径変形させて前記バッテリポストに固定するようになっており、
前記ボルトが、その軸線を前記バッテリポストの軸線に対して斜めの仮想面上に位置させる向きで配置されているバッテリー端子であって、
前記一対の板状突出部を、前記バッテリポストの軸線と直角な仮想面と略平行に接近するように案内するガイドが設けられていることを特徴とするバッテリー端子。
【請求項２】
前記一対の板状突出部に形成されて前記ボルトが貫通された２つの貫通孔のうち少なくとも一方の前記貫通孔は、前記ボルトが前記バッテリポストの軸線と略平行な方向へ相対変位することを許容する開口形状を有していることを特徴とする請求項１記載のバッテリー端子。
【請求項３】
前記ガイドが、前記一対の板状突出部のうち一方の前記板状突出部から突出する形態で形成され、
他方の前記板状突出部には、前記ガイドに摺接する摺接部が形成されていることを特徴とする請求項１又は請求項２記載のバッテリー端子。
【請求項４】
前記摺接部は、前記ボルトの頭部と前記ナットのうちいずれか一方を係止させることにより回転規制する規制面を有していることを特徴とする請求項３記載のバッテリー端子。
【請求項５】
前記一方の板状突出部には、一対の前記ガイドが、前記バッテリポストの軸線方向に離間した２位置から突出する形態で形成され、
前記他方の板状突出部には、一対の前記摺接部が、前記一対のガイドの間で前記バッテリポストの軸線方向に挟まれる形態で形成されていることを特徴とする請求項３又は請求項４に記載のバッテリー端子。
【発明の詳細な説明】
【技術分野】
【０００１】
本発明は、バッテリー端子に関するものである。
【背景技術】
【０００２】
図８〜１１に記載した従来のバッテリー端子１００は、所定の形状をなす金属板材からなり、バッテリポストＰを包囲する弧状締付部１０１と、この弧状締付部１０１の両端縁から外側に延出する一対の板状突出部１０２とを備えており、弧状締付部１０１をバッテリポストＰに外嵌させた状態で、一対の板状突出部１０２に貫通させたボルト１０３を、ナット１０４に螺合して締め付けて両板状突出部１０２を接近させることにより、弧状締付部１０１を縮径変形させてバッテリポストＰに固定するようになっている。
【０００３】
一般的なバッテリー端子では、ボルトが、その軸線をバッテリポストの軸線と直角な平面上に位置させるような向きに配置されているのであるが、上記のバッテリー端子１００では、ボルト１０３を締め付ける際の作業性等を考慮して、ボルト１０３が、その軸線をバッテリポストＰの軸線に対して斜めの平面上に位置させるような向きに配置されている。  
この種のバッテリー端子としては、特許文献１に記載されているものが知られている。
【特許文献１】特開平１０−２２３２０３号公報
【発明の開示】
【発明が解決しようとする課題】
【０００４】
上記のバッテリー端子１００では、ボルト１０３の締付けに伴って一対の板状突出部１０２がボルト１０３の軸線に沿って接近していくのであるが、ボルト１０３の軸線は、バッテリポストＰの軸線と直角な面に対して斜め方向となっているので、一対の板状突出部１０２は、接近しながらバッテリポストＰの軸線方向に位置ずれすることになる。一対の板状突出部１０２がバッテリポストＰの軸線方向に位置ずれすると、弧状締付部１０１が螺旋状をなすように不正な形態で変形し、その結果、バッテリポストＰに対する弧状締付部１０１の締付け性能が低下する虞がある。  
本発明は上記のような事情に基づいて完成されたものであって、ボルトとナットの締付けに伴う弧状締付部の不正な変形を防止することを目的とする。
【課題を解決するための手段】
【０００５】
上記の目的を達成するための手段として、請求項１の発明は、バッテリポストを包囲する弧状締付部と、前記弧状締付部の両端縁から外側に延出する一対の板状突出部と、前記一対の板状突出部を貫通するボルトと、前記ボルトに螺合されたナットとを備え、前記弧状締付部を前記バッテリポストに外嵌させた状態で前記ボルトと前記ナットを締め付けて前記一対の板状突出部を接近させることにより、前記弧状締付部を縮径変形させて前記バッテリポストに固定するようになっており、前記ボルトが、その軸線を前記バッテリポストの軸線に対して斜めの仮想面上に位置させる向きで配置されているバッテリー端子であって、前記一対の板状突出部を、前記バッテリポストの軸線と直角な仮想面と略平行に接近するように案内するガイドが設けられているところに特徴を有する。
【０００６】
請求項２の発明は、請求項１に記載のものにおいて、前記一対の板状突出部に形成されて前記ボルトが貫通された２つの貫通孔のうち少なくとも一方の前記貫通孔は、前記ボルトが前記バッテリポストの軸線と略平行な方向へ相対変位することを許容する開口形状を有しているところに特徴を有する。
【０００７】
請求項３の発明は、請求項１または請求項２に記載のものにおいて、前記ガイドが、前記一対の板状突出部のうち一方の前記板状突出部から突出する形態で形成され、他方の前記板状突出部には、前記ガイドに摺接する摺接部が形成されているところに特徴を有する。
【０００８】
請求項４の発明は、請求項３に記載のものにおいて、前記摺接部は、前記ボルトの頭部と前記ナットのうちいずれか一方を係止させることにより回転規制する規制面を有しているところに特徴を有する。
【０００９】
請求項５の発明は、請求項３又は請求項４に記載のものにおいて、前記一方の板状突出部には、一対の前記ガイドが、前記バッテリポストの軸線方向に離間した２位置から突出する形態で形成され、前記他方の板状突出部には、一対の前記摺接部が、前記一対のガイドの間で前記バッテリポストの軸線方向に挟まれる形態で形成されているところに特徴を有する。
【発明の効果】
【００１０】
＜請求項１の発明＞
ボルトとナットを締め付けると、一対の板状突出部が、ガイドに案内されることによりバッテリポストの軸線と直角な仮想面と略平行に接近するので、弧状締付部は、螺旋状をなすように不正な形態で変形する、ということがない。このように、本発明のバッテリー端子は、ボルトの軸線がバッテリポストの軸線に対して斜めの仮想面上に位置する向きであっても、弧状締付部が正しい形態で縮径変形しながらバッテリポストを締め付けるようになっているので、バッテリポストに対して確実に取り付けることができる。
【００１１】
＜請求項２の発明＞
バッテリポストの軸線方向における一方の貫通孔のボルト貫通位置と他方の貫通孔のボルト貫通位置が変わらないままで、一対の板状突出部がガイドに従って接近した場合、双方のボルト貫通位置を結ぶボルトの軸線の角度がバッテリポストの軸線と平行な向きに近づくように変化していく。そのため、ボルトの頭部とナットが、板状突出部に対し斜めに姿勢を変えながら押すことになるので、板状突出部が不正に変形させられる虞がある。
【００１２】
その点、本発明では、少なくとも一方の貫通孔は、ボルトがバッテリポストの軸線と略平行な方向へ相対変位することを許容する開口形状となっているので、一対の板状突出部が接近する際には、ボルトが貫通孔内においてバッテリポストの軸線と略平行な方向へ相対変位することにより、ボルトの軸線の角度が一定に保たれる。したがって、ボルトの頭部とナットは、板状突出部に対して姿勢を変えることがなく、板状突出部がボルトの頭部やナットで斜めに押されることに起因して不正に変形する、という虞はない。
【００１３】
＜請求項３の発明＞
一方の板状突出部に形成したガイドに、他方の板状突出部に形成した摺接部を摺接させることにより、一対の板状突出部が直接接触してガイド機能が発揮されるようになっている。これにより、一対の板状突出部を別々にガイドさせる場合に比べると、一対の板状突出部の位置関係の狂いやずれが生じ難く、高いガイド機能が発揮される。
【００１４】
＜請求項４の発明＞
ボルトの頭部とナットのうちいずれか一方が、摺接部の規制面に係止することにより回転規制されるので、作業者による回り止めの作業が不要となり、作業性に優れている。
【００１５】
＜請求項５の発明＞
一方の板状突出部に形成した一対のガイドの間に、他方の板状突出部に形成した一対の摺接部が挟まれることにより、双方の板状突出部は、バッテリポストの軸線方向における正逆いずれの方向においても相対移動を規制される。これにより、一対の板状突出部を、バッテリポストの軸線と直角な仮想面と略平行に接近するように確実に案内することができる。
【発明を実施するための最良の形態】
【００１６】
＜実施形態１＞
以下、本発明を具体化した実施形態１を図１乃至図７を参照して説明する。本実施形態のバッテリー端子Ｔは、バッテリ本体Ｂの上面から突出するバッテリポストＰに対し、電線Ｗを電気的導通可能に接続するためのものであり、所定形状の金属板材に曲げ加工等を施して製造された端子本体１０と、ボルト２２と、ナット２５とを備えて構成されている。端子本体１０は、電線Ｗを接続するための電線接続部１１と、バッテリポストＰに固定するためのポスト接続部１４とから構成されている。電線接続部１１は、基板部１２の左右両側縁から一対のカシメ片１３を下方へ延出させたオープンバレル状をなし、カシメ片１３は、基板部１２との間で電線Ｗの導体Ｗａを包囲するようにカシメ変形されるようになっている。かかる電線接続部１１には、導体Ｗａが圧着により接続されている。
【００１７】
ポスト接続部１４は、弧状締付部１５と、一対の板状突出部１６Ａ，１６Ｂとから構成される。弧状締付部１５は、バッテリポストＰを包囲するように軸線を上下方向に向けた円弧状をなす。弧状締付部１５の径寸法は、その上端縁において最小であり、下端において最大となり、全体としてバッテリポストＰと同様に円錐台形をなしている。弧状締付部１５がバッテリポストＰに取り付ける前の拡径状態（即ち、製造されたときの状態）であるときには、弧状締付部１５の径寸法は、バッテリポストＰよりも一回り大きくて、バッテリポストＰに対して上から引っ掛かりなく円滑に嵌合できる程度のクリアランスが空く寸法とされている。かかる弧状締付部１５は縮径するように変形し得るようになっている。尚、弧状締付部１５の上端縁には、上記電線接続部１１の基板部１２の前端縁が連なっている。
【００１８】
一対の板状突出部１６Ａ，１６Ｂは、弧状締付部１５の周方向における両端縁から外周側へ平板状に突出した形態であり、弧状締付部１５と一体に形成されている。つまり、弧状締付部１５が縮径又は拡径変形するときには、その動作に伴って一対の板状突出部１６Ａ，１６Ｂが周方向に沿って接近又は離間するようになっている。一対の板状突出部１６Ａ，１６Ｂは、互いに平行をなしているが、弧状締付部１５（バッテリポストＰ）の軸線と直角な仮想面Ｓａ（図１及び図４を参照）に対しては斜めを向いている。
【００１９】
一対の板状突出部１６Ａ，１６Ｂには、その板面を貫通する貫通孔１７Ａ，１７Ｂが形成されている。一方の第１板状突出部１６Ａに形成された第１貫通孔１７Ａは、弧状締付部１５（バッテリポストＰ）の軸線方向に長い長孔となってる。これに対し、他方の第２板状突出部１６Ｂに形成された第２貫通孔１７Ｂは、円形であって、その径寸法は、第１貫通孔１７Ａの幅寸法（短尺方向の開口寸法）と同じ寸法である。
【００２０】
第１板状突出部１６Ａには、その上端縁から第２板状突出部１６Ｂ側へ板状に延出した形態のメインガイド１８ａ（本発明の構成要件であるガイド）と、下端縁から第２板状突出部１６Ｂ側へ板状に延出した形態のサブガイド１８ｂ（本発明の構成要件であるガイド）とが形成されている。このメインガイド１８ａとサブガイド１８ｂの延出方向（つまり、両ガイド１８ａ，１８ｂによる案内方向）は、弧状締付部１５の軸線と直角な仮想面Ｓａと平行な方向となっている。第２板状突出部１６Ｂには、その上端縁から第１板状突出部１６Ａ側とは反対側へリブ状にと突出した形態のメイン摺接部１９ａ（本発明の構成要件である摺接部）と、下端縁から第１板状突出部１６Ａ側へリブ状に突出した形態のサブ摺接部１９ｂ（本発明の構成要件である摺接部）とが形成されている。メイン摺接部１９ａの下面（メインガイド１８ａとは反対側の面）は、規制面２０となっている。サブ摺接部１９ｂの突出端はストッパ２１となっている。
【００２１】
弧状締付部１５が拡径状態にあるときには、図１及び図６に示すように、メインガイド１８ａの延出端部における下面に対してメイン摺接部１９ａの上面が当接又は接近して対向するとともに、サブガイド１８ｂの延出端部における上面に対してサブ摺接部１９ｂの下面が当接又は接近して対向する。このように両摺接部１９ａ，１９ｂが両ガイド１８ａ，１８ｂの間で上下方向（弧状締付部１５の軸線方向）において挟まれているので、第１板状突出部１６Ａと第２板状突出部１６Ｂは、弧状締付部１５の軸線方向（上下方向）における相対変位を規制されている。
【００２２】
弧状締付部１５が拡径状態から縮径変形して一対の板状突出部１６Ａ，１６Ｂが接近する過程では、両ガイド１８ａ，１８ｂの間で両摺接部１９ａ，１９ｂが挟まれることにより、両板状取付部１６Ａ，１６Ｂの上下方向への相対変位が規制される。そして、図４に示すように、ストッパ２１が第１板状突出部１６Ａに当接すると、それ以上の板両状突出部１６Ａ，１６Ｂの接近動作及び弧状締付部１５の縮径動作が規制され、弧状締付部１５が最も縮径した状態となる。弧状締付部１５が拡径状態から最も縮径した状態に至る間、ガイド１８ａ，１８ｂによる相対変位規制機能が発揮し続け、両板状突出部１６Ａ，１６Ｂの上下方向への相対変位は規制され続ける。
【００２３】
ボルト２２は、金属製であり、外周に雄ネジ部が形成された軸部２３と、この軸部２３の一端部に形成した頭部２４とからなる。軸部２３の外径寸法は、第２貫通孔１７Ｂの内径よりも僅かに小さい寸法とされている。頭部２４は、全体として軸部２３と直角な正方形の厚板状をなし、頭部２４の一辺の長さは、第２貫通孔１７Ｂの中心からメイン摺接部１９ａの規制面２０までの寸法の２倍よりも僅かに小さい寸法とされている。かかるボルト２２は、その軸部２３を第２貫通孔１７Ｂと第１貫通孔１７Ａとに順に貫通させると共に、頭部２４の一辺（上縁）を規制面２０に係止させた状態で、両板状突出部１６Ａ，１６Ｂに取り付けられている。取り付けられたボルト２２は、頭部２４と規制面２０との係止作用により回転を規制され、軸部２３における頭部２４とは反対側の端部を、第１板状突出部１６Ａから第２板状突出部１６Ｂとは反対側へ突出させた状態となる。
【００２４】
ナット２５は、外周が六角形に成形されるとともに、内周に雌ねじ孔が貫通して形成された周知形態のものであり、軸部２３における頭部２４と反対側の端部に螺合されている。このナット２５の螺合により、ボルト２２が両板状突出部１６Ａ，１６Ｂに貫通した状態に保持されるとともに、ナット２５も端子本体１０に対して組み付けられた状態に保持される。また、この状態では、ボルト２２とナット２５の軸線は、弧状締付部１５の軸線に対して斜め方向の仮想面Ｓｂ（図１及び図４を参照）上に位置している。換言すると、両板状突出部１６Ａ，１６Ｂは、この斜めの仮想面Ｓｂに対して直角をなしている。
【００２５】
次に、本実施形態の作用を説明する。  
バッテリー端子ＴをバッテリポストＰに取り付ける際には、拡径状態の弧状締付部１５を、上方からバッテリポストＰに外嵌し、その後、ナット２５を回転させる。ナット２５の回転が進むと、ナット２５が、第１板状突出部１６Ａにおける第２板状突出部１６Ｂとは反対側の側面に面当たり状態で当接するとともに、ボルト２２の頭部２４が、第２板状突出部１６Ｂにおける第１板状突出部１６Ａとは反対側の側面に面当たり状態で当接する。つまり、頭部２４とナット２５との間に一対の板状突出部１６Ａ，１６Ｂが挟み付けられた状態となる。
【００２６】
この後、更にナット２５の回転を進めると、頭部２４とナット２５が接近してボルト２２とナット２５による締付力が生じ、この締付力により、両板状突出部１６Ａ，１６Ｂが互いに接近するとともに弧状締付部１５が縮径するように変形していく。縮径した弧状締付部１５は、バッテリポストＰの外周に面接触状態で密着し、これにより、弧状締付部１５がバッテリポストＰに対して導通可能に接続された状態で固定される。
【００２７】
両板状突出部１６Ａ，１６Ｂが接近する過程では、ボルト２２とナット２５の軸線が弧状締付部１５の軸線に対して斜め方向となっているので、両板状突出部１６Ａ，１６Ｂは、ボルト２２とナット２５の軸線に沿って上下に相対変位しながら接近しようとする。両板状突出部１６Ａ，１６Ｂが上下に相対変位した場合は、弧状締付部１５がバッテリポストＰに対して螺旋状をなすような不正な変形を来すことになる。しかし、本実施形態では、ガイド１８ａ，１８ｂと摺接部１９ａ，１９ｂとの当接作用により、両板状突出部１６Ａ，１６Ｂの上下方向（弧状締付部１５及びバッテリポストＰの軸線方向）における相対変位が規制されているので、弧状締付部１５は、バッテリポストＰに対して螺旋状に変形することがなく、軸線をバッテリポストＰと平行に向けた正しい形態を維持しながら縮径変形していく。
【００２８】
上述のように、本実施形態のバッテリー端子Ｔは、ボルト２２とナット２５の軸線がバッテリポストＰの軸線に対して斜めの仮想面Ｓｂ上に位置する向きとなっているのであるが、ガイド１８ａ，１８ｂと摺接部１９ａ，１９ｂとによる案内作用により、弧状締付部１５が正しい形態で縮径変形してバッテリポストＰを締め付けるようになっているので、バッテリポストＰに対して確実に取り付けることができる。
【００２９】
また、本実施形態とは異なり、バッテリポストＰの軸線方向において第１貫通孔１７Ａのボルト貫通位置と第２貫通孔１７Ｂのボルト貫通位置とが変わらないままで、一対の板状突出部１６Ａ，１６Ｂがガイド１８ａ，１８ｂに従って接近した場合、双方のボルト貫通位置を結ぶ角度（即ち、ボルト２２の軸線の角度）がバッテリポストＰの軸線と平行な向きに近づくように変化していく。そのため、ボルト２２の頭部２４とナット２５が、板状突出部１６Ａ，１６Ｂに対し斜めに姿勢を変えながら押すことになるので、板状突出部１６Ａ，１６Ｂが不正に変形させられる虞がある。
【００３０】
その点、本実施形態では、第１貫通孔１７Ａの開口形状は、ボルト２２の軸部２３がバッテリポストＰの軸線と略平行な方向へ相対変位することを許容するように上下方向に長い長孔状となっているので、一対の板状突出部１６Ａ，１６Ｂが接近する際には、頭部２４が第２板状突出部１６Ｂに対して面当たり状態を保つとともに、ナット２５が第１板状突出部１６Ａに対して面当たり状態を保ちながら、軸部２３が、第１貫通孔１７Ａ内においてバッテリポストＰの軸線と略平行に下方へ相対変位することができる。これにより、ボルト２２の軸線の角度が、バッテリポストＰへの取付け前の状態と同じ角度に保たれる。したがって、ボルト２２の頭部２４とナット２５は、板状突出部１６Ａ，１６Ｂに対して姿勢を変えることがなく、板状突出部１６Ａ，１６Ｂがボルト２２の頭部２４やナット２５で斜めに押されることに起因して不正に変形する、という虞はない。
【００３１】
また、第１板状突出部１６Ａに形成したガイド１８ａ，１８ｂに、第２板状突出部１６Ｂに形成した摺接部１９Ａ，１９ｂを摺接させることにより、両板状突出部１６Ａ，１６Ｂが直接接触してガイド機能が発揮されるようになっている。これにより、一対の板状突出部１６Ａ，１６Ｂを別々にガイドさせる場合に比べると、一対の板状突出部１６Ａ，１６Ｂの位置関係の狂いやずれが生じ難く、高いガイド機能が発揮される。
【００３２】
また、ボルト２２の頭部２４が、メイン摺接部１９ａの規制面２０に係止することにより回転規制されるので、作業者によってボルト２２を回り止めする作業が不要となり、作業性に優れている。
【００３３】
また、第１板状突出部１６Ａに形成した一対のガイド１８ａ，１８ｂの間に、第２板状突出部１６Ｂに形成した一対の摺接部１９ａ，１９ｂが挟まれることにより、双方の板状突出部１６Ａ，１６Ｂが、バッテリポストＰの軸線方向（上下方向）における正逆いずれの方向においても相対移動を規制される。これにより、一対の板状突出部１６Ａ，１６Ｂを、バッテリポストＰの軸線と直角な仮想面Ｓａと略平行に接近するように確実に案内することができる。
【００３４】
＜他の実施形態＞
本発明は上記記述及び図面によって説明した実施形態に限定されるものではなく、例えば次のような実施態様も本発明の技術的範囲に含まれる。  
（１）上記実施形態では一方の貫通孔の開口形状を、ボルトがバッテリポストの軸線方向と略平行に相対変位し得る形状としたが、２つの貫通孔の双方が、ボルトの相対変位を許容する開口形状であってもよく、逆に、２つの貫通孔の双方が、ボルトがバッテリポストの軸線方向と略平行に相対変位できない開口形状であってもよい。  
（２）上記実施形態ではナット側の板状突出部の貫通孔のみにおいてボルトがバッテリポストの軸線と略平行な方向へ相対変位するようにしたが、このボルトの相対変位を許容する貫通孔の形態は、ボルトの頭部側の貫通孔のみに適用してもよい。  
（３）上記実施形態ではガイドをナット側の板状突出部のみに形成したが、ガイドは、ボルトの頭部側の板状突出部のみに形成してもよく、ボルトの頭部側の板状突出部とナット側の板状突出部の双方に形成してもよい。  
（４）上記実施形態ではガイドを板状突出部に形成したが、板状突出部は、弧状締付部に形成してもよい。  
（５）上記実施形態ではガイドを板状突出部及び弧状締付部と一体に形成したが、ガイドは、板状突出部及び弧状締付部とは別体の部品として製造したものを、板状突出部又は弧状締付部に組み付けてもよい。  
（６）上記実施形態では一対の板状突出部が直接接触することによってガイド機能が発揮されるようにしたが、一対の板状突出部を別々のガイドによって案内してもよい。  
（７）上記実施形態ではボルトの頭部を摺接部の規制面に係止させて回り止めするようにしたが、ナットを規制面に係止させて回り止めしてもよい。  
（８）上記実施形態ではボトルの頭部を回り止めするための規制面を、摺接部に形成したが、これに替えて、ガイドに形成してもよい。この場合、ガイドに形成した規制面にナットを係止させて回り止めすることもできる。  
（９）上記実施形態では、ガイドを、板状突出部におけるバッテリポストの軸線方向の端縁から突出する形態としたが、ガイドは、板状突出部におけるバッテリポストの軸線方向の端縁とは異なる位置から切り起こし等によって突出する形態としてもよい。  
（１０）上記実施形態では、摺接部を、板状突出部におけるバッテリポストの軸線方向の端縁から突出する形態としたが、摺接部は、板状突出部におけるバッテリポストの軸線方向の端縁とは異なる位置から切り起こし等によって突出する形態としてもよい。  
（１１）上記実施形態ではナットを板状突出部から分離可能としたが、ナットは、板状突出部に溶接で固着又は板状突出部に一体に形成することにより、板状突出部に対して離脱規制及び相対回転規制としてもよい。
【図面の簡単な説明】
【００３５】
【図１】実施形態１においてバッテリー端子をバッテリポストに取り付ける前の状態をあらわす正面図
【図２】バッテリー端子をバッテリポストに取り付ける前の状態をあらわす側面図
【図３】バッテリー端子をバッテリポストに取り付けた状態をあらわす平面図
【図４】バッテリー端子をバッテリポストに取り付けた状態をあらわす正面図
【図５】バッテリー端子をバッテリポストに取り付けた状態をあらわす側面図
【図６】ボルトとナットを外した状態をあらわすバッテリー端子の正面図
【図７】ボルトとナットを外した状態をあらわすバッテリー端子の側面図
【図８】従来例のバッテリー端子の正面図
【図９】従来例のバッテリー端子の側面図
【図１０】従来例においてバッテリー端子をバッテリポストに取り付けた状態をあらわす正面図
【図１１】従来例においてバッテリー端子をバッテリポストに取り付けた状態をあらわす側面図
【符号の説明】
【００３６】
Ｐ…バッテリポスト
Ｔ…バッテリー端子
１５…弧状締付部
１６Ａ…第１板状突出部
１６Ｂ…第２板状突出部
１７Ａ…第１貫通孔
１７Ｂ…第２貫通孔
１８ａ…メインガイド（ガイド）
１８ｂ…サブガイド（ガイド）
１９ａ…メイン摺接部（摺接部）
１９ｂ…サブ摺接部（摺接部）
２０…規制面
２２…ボルト
２５…ナット
【図１】
2010033783.tif 000003
【図２】
2010033783.tif 000004
【図３】
2010033783.tif 000005
【図４】
2010033783.tif 000006
【図５】
2010033783.tif 000007
【図６】
2010033783.tif 000008
【図７】
2010033783.tif 000009
【図８】
2010033783.tif 000010
【図９】
2010033783.tif 000011
【図１０】
2010033783.tif 000012
【図１１】
2010033783.tif 000013